(57)【要約】  物品を取り囲むための不正開封防止バンド（１００、１００’）が、細長い帯を含んでいる。バンドには、ループ（１０２、１１７）が設けられている。ループは、ループの開放または除去の企ての証拠が当該バンドによって残されるようなものである。帯は、ループ（１０２、１１７）を通して挿入することができるループから遠位の部分（１０４、１０４’）を有している。取り付け手段（６０４）が、この遠位部分（１０４）を物品（５０２）を取り囲むべく帯の他の部分へと選択的に取り付け、この取り付けを取り外そうとする企ての証拠がバンドによって残されるように設けられている。不正開封防止バンド（１００）を、ループが未形成である平坦な帯として提供することができる。あるいは、不正開封防止バンド（１００’）を、ループ（１１７）を画定するための別のバックル（１１５）を備えるキットの形態で提供してもよい。【選択図】  図７
2009511371.tif 000002
【特許請求の範囲】
【請求項１】
物品を取り囲むための不正開封防止バンドであって、
細長い帯を含むとともに、ループが設けられており、当該ループの取り付けは、ループの開放または除去の企ての証拠が当該バンドによって残されるようなものであり、
前記帯が、前記ループを通して挿入できるループから遠位の部分を有するとともに、物品を取り囲むべく前記遠位部分を帯の別の部分へと選択的に取り付けるための取り付け手段を備えることで、当該取り付けを取り外そうとする企ての証拠が当該バンドによって残される不正開封防止バンド。
【請求項２】
前記ループが、前記帯に取り付けられるバックルによってもたらされる請求項１に記載の不正開封防止バンド。
【請求項３】
前記帯が、近位端および近位部分を有し、前記バックルが、開口を有しており、
前記バックルが、前記帯の近位端を前記バックルの開口を通して挿入して、前記バックルの除去の企ての証拠が前記帯または前記バックルによって残されるように前記帯の近位部分をそれ自体へと取り付けることによって、前記帯へと固定される請求項２に記載の不正開封防止バンド。
【請求項４】
前記帯の近位部分のそれ自体への取り付けが、帯の材料よりも強力である接着接合および／または縫合によるものである請求項３に記載の不正開封防止バンド。
【請求項５】
前記帯の近位部分が、引っ張りタブを含んでおり、当該引っ張りタブは、少なくとも部分的に前記帯の１つ以上の弱い線によって画定されており、当該１つ以上の弱い線部に沿って裂けが生じやすくなっている請求項３または４に記載の不正開封防止バンド。
【請求項６】
前記帯が、前記ループを画定するために、前記帯の一部分を固定されないままに残しつつ折り返されてそれ自体へと固定される近位部分を有している請求項１に記載の不正開封防止バンド。
【請求項７】
前記ループの固定が、ループの開放またはループの除去の企ての証拠が前記帯によって残されるような固定である請求項６に記載の不正開封防止バンド。
【請求項８】
前記ループの固定が、帯の材料よりも強力である接着接合および／または縫合によるものである請求項６または７に記載の不正開封防止バンド。
【請求項９】
前記帯の近位部分が、引っ張りタブを含んでおり、当該引っ張りタブは、少なくとも部分的に前記帯の１つ以上の弱い線部によって画定されており、当該１つ以上の弱い線部に沿って裂けが生じやすくなっている請求項６〜８のいずれか一項に記載の不正開封防止バンド。
【請求項１０】
しるしが、前記近位部分に設けられ、折り返されてそれ自体へと固定された前記近位部分によって隠され、あるいは見えにくくされており、
前記しるしが、前記固定が外れたときに不正開封を知らせるべく露わになる請求項３〜９のいずれか一項に記載の不正開封防止バンド。
【請求項１１】
前記遠位部分を帯の前記別の部分から分離させようとする企てにおいて、裂けの可能性を大きくするために、前記帯にスリットまたは弱い線部が形成されている請求項１〜１０のいずれか一項に記載の不正開封防止バンド。
【請求項１２】
前記帯の少なくとも一部分が、横方向に延びる第２の不正開封防止バンドを受け入れるための１つ以上の開口を含んでいる請求項１〜１１のいずれか一項に記載の不正開封防止バンド。
【請求項１３】
前記帯に、取り外し可能なチケット部が設けられており、当該チケット部が、物品の所有者によって保持されるために帯の残りの部分から分離可能である請求項１〜１２のいずれか一項に記載の不正開封防止バンド。
【請求項１４】
物品を取り囲むための不正開封防止バンドであって、
ループ形成部分と該ループ形成部分から遠位の部分とを有する細長い帯を含んでおり、
前記ループ形成部分が、ひとたびループが形成されたならばループを開こうとする企ての証拠が前記帯によって残されるように、ループへと成形可能であり、
前記帯の前記遠位部分が、前記ループを通してと挿入可能であるとともに、前記帯が、物品を取り囲むべく前記遠位部分を帯の別の部分へと選択的に取り付けるための取り付け手段を備えることで、当該取り付けを取り外そうとする企ての証拠が当該バンドによって残される不正開封防止バンド。
【請求項１５】
前記ループ形成部分が、前記ループを画定するために、前記帯の一部分を固定されないままに残しつつ折り返されてそれ自体へと固定される請求項１４に記載の不正開封防止バンド。
【請求項１６】
前記ループの固定が、前記帯の材料よりも強力であり、あるいは少なくとも前記帯の材料の変形または裂けを生じさせるために充分な強度である接着接合によるものである請求項１４または１５に記載の不正開封防止バンド。
【請求項１７】
しるしが、前記ループ形成部分に設けられ、折り返されてそれ自体へと固定された前記ループ形成部分によって隠され、あるいは見えにくくされており、
前記しるしが、前記固定が外れたときに不正開封を知らせるべく露わになる請求項１５または１６に記載の不正開封防止バンド。
【請求項１８】
前記ループ形成部分が、引っ張りタブを含んでおり、当該引っ張りタブは、少なくとも部分的に前記帯の１つ以上の弱い線部によって画定されており、当該１つ以上の弱い線部に沿って裂けが生じやすくなっている請求項１４〜１７のいずれか一項に記載の不正開封防止バンド。
【請求項１９】
前記遠位部分を帯の前記別の部分から分離させようとする企てにおいて、裂けの可能性を大きくするために、前記帯にスリットまたは弱い線部が形成されている請求項１４〜１８のいずれか一項に記載の不正開封防止バンド。
【請求項２０】
前記帯の少なくとも一部分が、横方向に延びる第２の不正開封防止バンドを受け入れるための１つ以上の開口を含んでいる請求項１４〜１９のいずれか一項に記載の不正開封防止バンド。
【請求項２１】
前記帯に、取り外し可能なチケット部が設けられており、当該チケット部が、物品の所有者によって保持されるために帯の残りの部分から分離可能である請求項１４〜２０のいずれか一項に記載の不正開封防止バンド。
【請求項２２】
物品を取り囲むための不正開封防止バンドのためのキットであって、
・遠位部分を有する細長い帯、
・前記遠位部分から離れた配置にて前記バンドへと取り付け可能なループであって、当該ループを取り外そうとする企ての証拠が前記バンドによって残されるような形で取り付け可能であり、前記帯の遠位部分を通すことができるループ、および
・物品を取り囲むべく前記遠位部分を帯の別の部分へと選択的に取り付けることで、該取り付けを取り外そうとする企ての証拠が当該バンドによって残される用にする取り付け手段
を含んでいるキット。
【請求項２３】
前記ループが、バックルの形態である請求項２２に記載のキット。
【請求項２４】
前記帯が、近位端および近位部分を有し、前記バックルが、開口を有しており、
前記バックルが、前記帯の近位端を前記バックルの開口を通して挿入して、前記バックルの除去の企ての証拠が前記帯によって残されるように前記帯の近位部分をそれ自体へと取り付けることによって、前記帯へと固定される請求項２３に記載のキット。
【請求項２５】
前記帯の少なくとも一部分が、横方向に延びる第２の帯を受け入れるための１つ以上の開口を含んでいる請求項２２〜２４のいずれか一項に記載のキット。
【請求項２６】
前記帯に、取り外し可能なチケット部が設けられており、該チケット部が、物品の所有者によって保持されるために帯の残りの部分から分離可能である請求項２２〜２５のいずれか一項に記載のキット。
【請求項２７】
前記遠位部分を帯の前記別の部分から分離させようとする企てにおいて、裂けの可能性を大きくするために、前記帯にスリットまたは弱い線部が形成されている請求項２２〜２６のいずれか一項に記載のキット。
【請求項２８】
手荷物の保安のための手荷物ストラップであって、細長い帯および該帯を手荷物の周囲に固定するための取り付け手段を備えており、
前記帯が、横方向に延びる別の手荷物ストラップを受け入れるための長手方向に延びるスリットまたは開口を含んでいる手荷物ストラップ。
【発明の詳細な説明】
【発明の分野】
【０００１】
本発明は、物品または物品の一部分の周囲に固定される不正開封防止バンドであって、ひとたび固定されたならば、当該バンドが不正に開封された旨の証拠を残すことなく取り外すことができない不正開封防止バンドに関する。とくには、本発明は、これに限られるわけではないが、手荷物の保安のために使用されるバンドに関する。
【発明の背景】
【０００２】
個人の手荷物などといった物品の運搬は、大変な心配の分野である。手荷物が運ばれるとき、手荷物が不正な開封にさらされかねない期間が不可避的に存在する。これは、所有者が短時間であるが手荷物から離れる場合かもしれず、あるいは手荷物の所有者が手荷物を運送人のもとへと手渡した後に生じる可能性もある。
【０００３】
そのような手荷物の不正開封は、ますます日常的になってきており、悲惨な影響を及ぼすかもしれない。不正な開封としては、単にかばんの中身を開いて再び戻すこと、かばんから中身を盗むこと、またはかばんに品物を挿入することも挙げられる。
【０００４】
このような不正開封の増加、および対応する意識の高まりに鑑み、品物が不正に開封されたか否かを素早く確認できる、手荷物の保安のための簡単なやり方が求められている。
【０００５】
以上の従来技術の説明を、共通の一般的知識として認めたものと理解してはならない。
【発明の概要】
【０００６】
本発明の第１の態様によれば、物品を取り囲むための不正開封防止バンドであって、細長い帯を含むとともに、ループが設けられており、このループが、ループの開放または除去の企ての証拠が当該バンドによって残されるように設けられており、
前記帯が、前記ループを通して挿入できるループから遠位である部分を有するとともに、物品を取り囲むべく前記遠位部分を帯の別の部分へと選択的に取り付けるための取り付け手段を備えることで、この取り付けを取り外そうとする企ての証拠が当該バンドによって残される不正開封防止バンドが提供される。
【０００７】
好ましくは、ループが、ループへと取り付けられるバックルによってもたらされる。取り付けは、バックルを取り外そうとする企ての証拠がバンドによって残されるような形でなされなければならない。好ましくは、バックルが帯の近位部分に設けられ、バックルのループを通って帯の近位端を挿入し、帯の近位部分をこれ自体へと返して取り付けることによって、バックルを帯へと取り付けることが可能である。本発明の別の形態においては、ループを、帯の近位部分を二つに折ってこれ自体へと固定するが、帯のループを固定されないように残すことによって、帯そのものによって設けることが可能である。
【０００８】
ループの形成または固定の性状は、ループの開放またはループの除去の企ての証拠が、バンドによって残されるようなものである。これを達成できる１つのやり方は、帯にループを形成または固定するために必要とされる接着接合が、帯そのものの材料よりも強力であるように保証することである。これにより、帯の接着部分を分離させようと企てたとき、帯の材料が裂けて企ての証拠を残す。さらに、帯を、分離が企てられたときの裂けの可能性を大きくするように形成することができる。これは、Ｖ字形のスリットなど、帯にスリットまたは弱い線部を形成することによって達成できる。本発明の別の形態においては、帯を、引っ張りタブを備えるように形作ることができ、引っ張りタブの幅が、帯の残りの部分の幅よりも狭く、帯の長手方向の裂け、または所定の弱い線部に沿った裂けを促進している。さらに、帯の分離された後の部分の再接着を防止または阻止するための手段を、設けることが可能である。
【０００９】
本発明の最も好ましい形態においては、不正な開封を知らせるしるしが設けられる。例えば、帯の接着部分が引き離されたときに、「不正開封」などといった言葉を露わにすることができる。
【００１０】
本発明の特定の形態においては、ループを固定または形成している不正開封防止部が、第１の部分および第１の部分へと取り付けできる第２の部分を備えることができ、第２の部分が、少なくとも１つの固定部と、少なくとも１つの固定部から不可逆に取り外すことができる着脱可能部とを有している。
【００１１】
少なくとも１つの固定部のそれぞれを、壊れやすい線によって着脱可能部へとつなげておくことができ、少なくとも１つの固定部を上記第１の部分から取り外すために必要とされる力が、上記壊れやすい線を破るために必要とされる力よりも大きい。少なくとも１つの固定部のそれぞれを、ナイロンの縫い目によって上記第１の部分へと取り付けることができる。好ましくは、少なくとも１つの固定部のそれぞれを、接着接合によって上記第１の部分へと取り付けることができる。さらに、着脱可能部に、着脱可能部の把持を容易にできる引っ張りタブを取り入れてもよい。
【００１２】
一実施の形態においては、上記第１の部分、ループ、および着脱可能部が、ループが開かれたときに露わにされる共通面を形成し、この共通面に、不正開封を知らせるしるしを印刷することができる。
【００１３】
不正開封防止バンドの最も好ましい形態においては、ループが、バンドにすでに形成または固定されて供給される。次いで、この不正開封防止バンドを、物品を帯で取り囲み、帯の遠位部分を帯が物品の周囲に張り詰められるまでループを通って挿入し、物品の周囲での帯の配置に応じて、帯の遠位部分を帯の隣接部分へと取り付けることによって、物品へと適用することができる。取り付けは、取り付けを取り外そうとする企ての証拠が帯によって残されるようなものである。遠位部分の不正開封の防止は、ループの不正開封の防止について上述した任意の特徴を有することができる。
【００１４】
不正開封防止バンドは、帯の遠位部分が取り付けられていない状態で最終ユーザへと適切に供給され、帯の遠位部分の取り付けが、物品の大きさに適するように最終ユーザによって行われる。取り付けを行うために、帯の少なくとも一部分が、接着層および取り外し可能な裏打ち層を備えることができる。取り外し可能な裏打ち層は、取り外されたときにそれぞれが接着層の該当の部分を露出させるいくつかの部分にて取り外し可能であってよい。
【００１５】
帯の少なくとも一部分に、１つ以上の開口を備えることができる。１つ以上の開口のそれぞれを、横断方向に延びる第２の不正開封防止バンドを受け入れるように形作ることができる。開口は、好ましくは、帯において長手方向に延びるスリットまたは切れ目の形態である。
【００１６】
さらに、帯に、取り外し可能なチケット部を設けることができ、このチケット部を、帯の残りの部分から分離させ、物品の所有者によって保持させることができる。取り外し可能なチケット部は、帯の遠位部分に隣接する端部として設けることが可能である。
【００１７】
本発明の第２の態様によれば、物品を取り囲むための不正開封防止バンドであって、ループ形成部分と該ループ形成部分から遠位部分とを有する細長い帯を含んでおり、前記ループ形成部分が、ひとたびループが形成されたならばループを開こうとする企ての証拠が前記帯によって残されるように、ループへと成形可能であり、
前記帯の前記遠位部分が、前記ループへと挿入可能であるとともに、物品を取り囲むべく前記遠位部分を帯の別の部分へと選択的に取り付けるための取り付け手段を備えることで、この取り付けを取り外そうとする企ての証拠が当該バンドによって残される不正開封防止バンドが提供される。
【００１８】
本発明の第３の態様によれば、物品を取り囲むための不正開封防止バンドのためのキットであって、
・遠位部分を有する細長い帯、
・前記遠位部分から離れた配置にて前記バンドへと取り付け可能なループであって、当該ループを取り外そうとする企ての証拠が前記バンドによって残されるような形で取り付け可能であり、前記帯の遠位部分を通すことができるループ、および
・物品を取り囲むべく前記遠位部分を帯の別の部分へと選択的に取り付けることで、この取り付けを取り外そうとする企ての証拠が当該バンドによって残される用にする取り付け手段
を含んでいるキットが提供される。
【００１９】
本発明の第４の態様によれば、手荷物の保安のための手荷物ストラップであって、細長い帯およびこの帯を手荷物の周囲に固定するための取り付け手段を備えており、
前記帯が、横方向に延びる別の手荷物ストラップを受け入れるための長手方向に延びるスリットまたは開口を備えている手荷物ストラップが提供される。
【００２０】
帯に関して使用される用語「近位」および「遠位」は、帯の種々の部分を呼称するために使用される不定の用語であり、それらの互いの相対関係を説明しているにすぎない。
【００２１】
本明細書において使用されるとき、「・・・備える（ｃｏｍｐｒｉｓｅ）」という用語、ならびに「・・・備えている（ｃｏｍｐｒｉｓｉｎｇ）」、「・・・備える（ｃｏｍｐｒｉｓｅｓ）」、および「・・・からなる（ｃｏｍｐｒｉｓｅｄ）」などというこの用語の変化形態は、他の付加物、構成要素、完全体、または工程を排除しようと意図するものではない。
【００２２】
また、本発明を、広く、本出願の明細書において個々または集合的に言及または示唆される部分、構成要素、および特徴、ならびにそのような部分、構成要素、または特徴の任意の２つ以上の任意またはすべての組み合わせにあると言うこともでき、さらに本明細書において述べられる特定の完全体がこの技術分野において公知の均等物を有する場合には、そのような公知の均等物は、あたかも個々に記載されたかのように本明細書に取り入れられたものとされる。
【００２３】
本発明は上記にあり、以下に例が提示される構成も考えることができる。
【００２４】
次に、本発明を、不正開封防止バンドの好ましい実施の形態を示している添付の図面を参照して説明する。しかしながら、本発明が図面に示されている好ましい実施の形態の特徴に限定されるわけではないことを、理解すべきである。
【実施の形態の詳細な説明】
【００２５】
図１を参照すると、本発明は、物品または物品の一部分の周囲に固定される不正開封防止バンド１００を提供する。
【００２６】
不正開封防止バンド１００は、Ｄｕｐｏｎｔ社製のＴｙｖｅｋ（登録商標）という商品名の保護材料の帯で構成されている。Ｔｙｖｅｋ（登録商標）は、フラッシュ紡糸法（ｆｌａｓｈ‐ｓｐｉｎｎｉｎｇ）によって形成されたきわめて細い高密度ポリエチレン繊維から作られている。繊維は、無作為に分布しており、方向性を有しておらず、結合剤（ｂｉｎｄｅｒ）、接着剤（ｓｉｚｅｒ）、または充填剤（ｆｉｌｌｅｒ）を使用することなく、熱および圧力によって一体に結合している。Ｔｙｖｅｋ（登録商標）材料の帯は、不正開封防止バンド１００の第１の端部（近位端）の不正開封防止部１０２、不正開封防止バンド１００の第２の端部（遠位端）の物品固定部１０４、および不正開封防止部１０２と物品固定部１０４との間を延びる本体部１０６を含んでいる。
【００２７】
本体部１０６には、複数の開口１０８、１１０、および１１２が形成されており、そのそれぞれが、図４に関して説明されるとおり、第２の不正開封防止バンド１００を受け入れて通過させることができるように形作られている。
【００２８】
図３に最もよく見て取ることができるとおり、不正開封防止部１０２は、本体部１０６に近い第１の部分３０２、本体部１０６から遠位の第２の部分３０４、および第１の部分３０２と第２の部分３０４との間を延びるループ部３０６とを備えている。
【００２９】
第２の部分３０４は、第１の固定部３０８、第２の固定部３１０、および着脱可能部３１２を備えている。着脱可能部３１２から、引っ張りタブ３１４が延びており、引っ張りタブ３１４は、例えば親指および他の指によって容易に把持することができるように形作られている。着脱可能部３１２は、第１の切り取り線３１６によって第１の固定部３０８につながっており、第２の固定部３１０は、第２の切り取り線３１８によって着脱可能部３１２につながっている。
【００３０】
不正開封防止バンド１００の使用に先立ち、第１の固定部３０８および第２の固定部３１０の両者が、第１の部分３０２に取り付けられる。取り付けは、第１の固定部３０８および第２の固定部３１０を第１の部分３０２から取り外すために必要とされる力が、第１の切り取り線３１６および第２の切り取り線３１８を破るために必要とされる力よりも大きい限りにおいて、任意の従来からの手段によるものであってよい。そのような取り付けの一形態は、第１の固定部３０８および第１の部分３０２を貫き、第２の固定部３１０および第１の部分３０２を貫くナイロンの縫い目によることができる。あるいは、第１の固定部３０８および第２の固定部３１０を第１の部分３０２へと取り付けるために、接着剤を使用してもよい。
【００３１】
図１にはっきりと見て取ることができるとおり、第１の固定部３０８および第２の固定部３１０が第１の部分３０２へと取り付けられるとき、ループ部３０６が、不正開封防止バンド１００の不正開封防止部１０２に閉じたループ１１４を形成する。
【００３２】
この閉じたループ１１４がひとたび形成されると、ループ部３０６を切断するか、あるいは引っ張りタブ３１４を引っ張らない限りは、閉じたループ１１４を開くことができない。第１および第２の固定部３０８、３１０と第１の部分３０２との間の取り付けが、どちらも第１の切り取り線３１６および第２の切り取り線３１８よりも強力であるため、引っ張りタブ３１４を引っ張ることで、第１の切り取り線３１６および第２の切り取り線３１８の両者に破れが生じ、着脱可能部３１２が第１および第２の固定部３０８、３１０から解放される。着脱可能部３１２が第１の固定部３０８および第２の固定部３１０から解放されるとき、ループ部３０６は、図２にはっきりと見て取ることができるとおり、開いたループ２０４を形成する。
【００３３】
やはり図２にはっきりと見て取ることができるとおり、第１の部分３０２、ループ部３０６、および着脱可能部３１２のそれぞれの１つの表面によって、共通面２０２が形成されている。開いたループ２０４が形成されると、共通面２０２の全体をはっきりと視認することができる。共通面には、不正開封を知らせるしるし２０４が、共通面２０２の全長に広がって印刷されており、この場合には、「不正開封あり（ＴＡＭＰＥＲＥＤ）」という言葉がはっきりと示されている。
【００３４】
当然ながら、共通面２０２に印刷される不正開封を知らせるしるし２０４が、任意の言葉、色、絵、またはパターンで形成されてよいことを、理解できるであろう。
【００３５】
物品固定部１０４は、不正開封防止バンド１００において不正開封防止部１０２とは反対側の端部に位置しているが、バンド１００を物品の周囲に固定するために使用される。物品固定部１０４は、不正開封防止部１０２から遠位の第１の部分１１６と、不正開封防止部に近い第２の部分１１８とを有している。図６に示されているように、第１の部分１１６および第２の部分１１８の少なくとも一方は、バンド６０２上の接着層６０４と、接着層６０４を覆う着脱可能な裏打ち層６０６とを備えている。着脱可能な裏打ち層は、いくつかの着脱可能な裏打ち層部分６０８、６１０、および６１２を備えており、そのそれぞれを別個独立に取り外して、接着層６０４の一部分を露出させることができる。
【００３６】
以上の説明から理解できるとおり、本発明の不正開封防止バンド１００は、ただ１つの連続した帯から簡単かつ費用対効果に優れたやり方で製造することが可能である。
【００３７】
不正開封防止バンド１００を、ループがすでに形成された図１に示されている形態で、ユーザへと供給することができる。あるいは、バンド１００を、ループを形成することなくユーザへと供給でき、ユーザがバンドの設置に先立ってループを形成する。
【００３８】
不正開封防止バンド１００を物品の周囲に固定するために、物品固定部１０４の第１の部分１１６が、固定対象の物品の周囲に通され、不正開封防止部１０２の閉じたループ１１４を通して挿入される。物品固定部１０４の所望の数の着脱可能部分６０８、６１０、および６１２が取り除かれ、接着層６０４の少なくとも一部が露出される。次いで、第１の部分１１６が、物品の胴回りに応じて、第２の部分１１８から本体部１０６を含む帯に沿った任意の部分に取り付けられる。図４が、空の空間の周囲に固定された不正開封防止バンド４０２を示している。物品固定部１０４と帯の物品固定部１０４の固定先の部分との間に形成される接着接合は、帯そのものの材料よりも強力であるような接合である。これにより、第１の部分１１６と第２の部分１１８とを分離させようとする企てが、帯の材料を破る結果となるため、取り付けが、不正開封防止の取り付けとなっている。さらに、帯の材料を、取り外しが試みられた場合に破れやすくなるよう、スリットを備えて構成することもできる。
【００３９】
ひとたび不正開封防止バンド１００が上述のとおり物品の周囲に固定されると、取り外しの証拠を残すことなく不正開封防止バンド１００を解放することは不可能である。不正開封防止バンド１００を物品から取り外す最も容易なやり方は、引っ張りタブ３１４を引くことである。これにより、上述のとおり、第１の切り取り線３１６および第２の切り取り線３１８が破れ、着脱可能部３１２が解放され、開いたループ２０４が生成される。ひとたび開いたループ２０４が生成されると、物品固定部１０４が自由になり、不正開封防止バンド１００を物品から取り外すことができるようになる。一方で、ひとたび破られてしまうと、第１の切り取り線３１６および第２の切り取り線３１８を再びつなげることは不可能であり、不正開封のいくつかの明確な証拠が不正開封防止バンド１００に残される。
【００４０】
不正開封の証拠としては、破られた切り取り線３１６および３１８が挙げられ、不正開封防止バンド１００が完全に物品から取り去られた場合には、不正開封防止バンド１００の全くの不在が、不正開封の証拠である。
【００４１】
切り取り線３１６および３１８が破られた場合の最も明白な不正開封の証拠は、共通面２０２に形成され、開いたループ２０４が形成されたときに明確に視認できるようになる不正開封を知らせるしるし２０４に見つけられる。
【００４２】
当然ながら、不正開封防止バンド１００を任意の点において切断し、あるいは破ることによって取り除くことも可能であり、その場合、不正開封の証拠を残すことなくバンドを再びつなぎ合わせることは不可能である。
【００４３】
不正開封防止バンド１００は、帯へと取り付けられた物品固定部を分離させようとする企てが試みられた場合にも、不正開封の証拠を示す。そのような証拠として、帯の材料の裂けまたはゆがみを挙げることができる。
【００４４】
旅客は、自身の目的地に到着したときに、バンドが無傷のままであるならば、単純に引っ張りタグ３１４を引っ張ることによって荷物の荷ほどきを始めることができる。これは、現時点において旅行者が鋭利な器具を携行することが許されていないため、きわめて有益である。
【００４５】
図４および５は、物品５０２の保安のために、３つの不正開封防止バンド１００、４０２、および４０４をどのように使用できるのかを示している。図４においては、不正開封防止バンド１００の固定を分かり易く示すため、物品５０２が図から省略されており、図５においては、物品５０２がスーツケースである。
【００４６】
第１の不正開封防止バンド１００が、物品５０２の周囲に通され、上述の方法に従って固定される。さらに高い安全性をもたらすために、さらに２つの不正開封防止バンド４０２および４０４が、第１の不正開封防止バンド４０２の本体１０６の開口１０８および１１２に通され、やはり上述と同じやり方で物品５０２の周囲に固定される。
【００４７】
図７〜１４が、本発明の別の形態を示しており、多くの点で第１の実施の形態に類似している。したがって、同様の参照番号が同様の部分を表しており、そこにプライム符号（’）が付されて、第２の実施の形態に適するように変更が加えられている場合のある第２の実施の形態の当該部分を示している。
【００４８】
第２の実施の形態の不正開封防止バンド１００’は、第１の実施の形態と同様の細長い帯を含んでいる。主たる相違は、不正開封防止部１０２’が依然としてループ１１４’を形成しているが、このループが帯の遠位端１０４’を受け入れるように意図されたものではない点にある。代わりに、ループ１１４’は、図１３に示されているようなバックル１１５を収容する。バックル１１５は、帯の遠位端１０４が通過するループ１１７を画定している。不正開封防止バンド１００’は、バックル１１５がすでに取り付けられた状態で最終ユーザへと提供されるように意図されている。あるいは、バンドを、帯およびバックルが別々であるキットの形態で提供してもよい。バンド１００’を使用するにあたって、最終ユーザが、遠位端１０４’をバックル１１５のループ１１７を通して挿入し、第１の実施の形態に関して説明したとおりにバンド１００’を物品の周囲に固定する。バックル１１５は、広告資材、ロゴ、またはシリアル番号などといった他の識別子を挿入するための凹領域をさらに備えている。それぞれのバンド１００’に、固有のシリアル番号の識別子を設けることができる。
【００４９】
図９が、遠位部１０４’の詳細図である。遠位部１０４’は、剥離紙（図示されていない）で裏打ちされた接着剤であり、最終ユーザが剥離紙を取り除き、本体部１０６の物品の胴回りに応じて選択される部分へと、バンド１００’を固定する。さらに、本体部１０６’には、図示のとおりのＶ字形のスリット９０６が設けられており、遠位部１０４’が取り付け先である本体１０６’の部分から引き離されようと試みられたときに、容易に裂けるようにしている。さらに、帯に、遠位部１０４’が取り付け先である帯の部分から取り外されるときに変形する微細な印刷を設けることができる。これは、全体的な印刷の意匠であってよい。また、バンド１００’は、帯の外周の付近のナイロンの縫い目９０８によって補強されている。図１０に示されているように、ナイロンの縫い目９０８が、切り取り線３１６’および３１８’に沿って延びてもよい。
【００５０】
この不正開封防止バンド１００’の他の特徴は、切れ目１０８、１１０、１１２の代わりに、バンド１００’にスリット１０８’が設けられている点にある。スリットが、図４に示した形で追加のバンドを通すことができるようにしている。
【００５１】
図１４が、バンド１００’のさらなる特徴を示している。図１４は、バンド１００’へと取り入れることができるチケット部９００の構成を示している。チケット部９００は、旅行者によって保持される分離可能なレシート部９０２を含んでいる。このレシート部９０２に、凹部１１９またはバンド１００’上のどこかに設けられる固有のシリアル番号に対応する固有のシリアル番号を設けることができる。これにより、旅行者のレシート部を、正しい手荷物に関連付けることができる。チケット部９００は、図１４に示されているように、遠位部１０４’の端部へと取り付けられた不連続な部分であってよい。このとき、レシート部９０２を、切り取り線９０４に沿って分離させることによって取り外すことができる。あるいは、レシート部９０２を、帯と一体の部分として形成してもよい。
【００５２】
本明細書において開示および定義された本発明が、本文または図面において述べられ、あるいは本文または図面から明らかである個々の特徴の２つ以上の他のあらゆる組み合わせにまで広がることを、理解できるであろう。そのようなさまざまな組み合わせのすべてが、本発明のさまざまな別の態様を構成する。
【図面の簡単な説明】
【００５３】
【図１】ループ部分が閉じたループを形成している、本発明の第１の実施の形態による不正開封防止バンドの斜視図を提示している。
【図２】ループ部分が開いたループを形成している不正開封防止バンドの上面図を提示している。
【図３】本発明による不正開封防止バンドの不正開封防止部の斜視図を提示している。
【図４】空の空間の周囲に固定された本発明による不正開封防止バンドの斜視図を提示している。
【図５】本発明による３つの不正開封防止バンドによって保安された物品の正面図を提示している。
【図６】本発明による不正開封防止バンドの固定部の一部分の断面図を提示している。
【図７】本発明による不正開封防止バンドの第２の好ましい実施の形態の平面図である。
【図８】図７のバンドの側面図である。
【図９】図７の詳細図である。
【図１０】図７のバンドの近位端の斜視図である。
【図１１】図７の詳細図である。
【図１２】図８の詳細図である。
【図１３】図７のバンドにおいて使用されるバックルの斜視図である。
【図１４】図７のバンドに取り入れられるチケット部の詳細図である。
【図１】
2009511371.tif 000003
【図２】
2009511371.tif 000004
【図３】
2009511371.tif 000005
【図４】
2009511371.tif 000006
【図５】
2009511371.tif 000007
【図６】
2009511371.tif 000008
【図７】
2009511371.tif 000009
【図８】
2009511371.tif 000010
【図９】
2009511371.tif 000011
【図１０】
2009511371.tif 000012
【図１１】
2009511371.tif 000013
【図１２】
2009511371.tif 000014
【図１３】
2009511371.tif 000015
【図１４】
2009511371.tif 000016
【国際調査報告】
2009511371.tif 000017
2009511371.tif 000018
2009511371.tif 000019
2009511371.tif 000020